(57)【特許請求の範囲】
【請求項１】
円筒軸内に揮発性内容物が充填された鉛筆型物品の円筒軸の先端を覆う鉛筆型物品用気密キャップであって、
有底円筒状をなし、その開口部に周方向に沿って内側に突出する環状段部を有する外キャップ体と、
有底円筒状をなし、その有底部を前記外キャップ体の有底部側に向けて該外キャップ体内に遊嵌自在に収納され、その開口部側に前記環状段部と密着することにより該外キャップ体との間を気密する環状端部を有する内キャップ体と、
前記外キャップ体の有底部側内周面と前記内キャップ体の有底部側外周面との間に配設され、該内キャップ体を該外キャップ体の開口部側に付勢し、前記環状端部を前記環状段部に密着させる弾性体と、を備え、
前記内キャップ体は、その有底部に通気孔を有しており、かつ、その開口部側内周面に、前記キャップを鉛筆型物品に装着するとき、前記円筒軸の先端部と係合することにより該内キャップ体を先端方向に移動させる係合部及び該円筒軸の外周面と密着することにより円筒軸との間を気密する密着部を有しており、
前記弾性体は、前記キャップを前記鉛筆型物品に装着するとき、前記内キャップ体内から前記通気孔を通じて押し出されてくる空気を外部に排出する隙間が前記環状端部及び前記環状段部の間に形成されるように、該内キャップ体を先端方向に移動させる変形性を有していることを特徴とする鉛筆型物品用気密キャップ。
【発明の詳細な説明】
【０００１】
【発明の属する技術分野】
本発明は、スティック状の口紅、アイシャドー、頬紅、眉墨などの化粧料、あるいは画材や筆記用具等に用いる顔料を円筒軸内に充填した鉛筆型物品に係り、化粧料や顔料の乾燥固化を防止するために鉛筆型物品の先端部を覆い気密状態にする鉛筆型物品用気密キャップに関する。
【０００２】
【従来の技術】
従来から鉛筆型物品として、鉛筆の芯の代わりに化粧料（例えば口紅、まゆずみ、アイシャドー等）または顔料等の内容物を円筒軸に充填した化粧品、筆記用具等が知られている。
【０００３】
かかる鉛筆型物品は、通常、前記内容物を充填する円筒軸と、円筒軸の後端部側に嵌入される尾栓と、円筒軸の先端部側を覆うキャップ体と、を備えている。
【０００４】
ところで、前記内容物は揮発性を有する場合が多い。そこで、鉛筆型物品のキャップ体は先端部を保護する機能だけでなく、内容物の揮散や乾燥固化を防止するために先端部を気密化する機能も必要となる。
かかる気密化機能を有するキャップ体は、従来有底円筒状をなし、鉛筆型物品の先端部を前記有底円筒内に挿入したときに前記有底円筒の開口部側で前記円筒軸の外周面と密着するように形成していた。
【０００５】
【発明が解決しようとする課題】
しかし、従来のキャップ体は、鉛筆型物品の先端部を前記有底円筒の内部に挿入したとき筒開口部側で円筒軸の外周面と密着し気密状態となるので、キャップ体内の空気は逃げ場を失ってしまう。そして、更にキャップ体内に鉛筆型物品を挿入すると、キャップ体内の圧力が上昇する現象（いわゆるポンプ現象）が生じる。その結果、従来のキャップ体は、(1) キャップ体内圧力に抗して鉛筆型物品を挿入しなければならず、装着作業が容易ではない、(2) 装着後もキャップ体内の圧力が上昇したままなので、キャップ体が鉛筆型物品から浮き上がり気密状態を維持できない、といった問題があった。
【０００６】
そこで、従来のキャップ体には、ポンプ現象の発生を防止するため、キャップ体内の空気を逃すための弁を設置したものが開発されている。しかし、逃し弁を設置したキャップ体は、(1) 構造が複雑でコスト高となる、(2) 装着／離脱作業に連動して逃し弁の開閉作業を行わなければならず、装着／離脱作業が容易ではない、といった問題があった。
【０００７】
本発明は、上記問題点に鑑みてなされたものであり、簡単な構造で装着作業が容易であり、かつ長期にわたって気密状態が維持できる鉛筆型物品用気密キャップを提案することを技術的課題とする。
【０００８】
【課題を解決するための手段】
前記課題を達成するために、本発明の鉛筆型物品用気密キャップは、以下に示す手段を採用した。
すなわち、本発明の鉛筆型物品用気密キャップは、円筒軸内に揮発性内容物が充填された鉛筆型物品の前記円筒軸の先端部を覆う鉛筆型物品用気密キャップにおいて、有底円筒状をなし、この有底円筒の開口部に周方向に沿って内側に突出する環状段部を有する外キャップ体と、有底円筒状をなし、この有底円筒の有底部を前記外キャップ体の有底部側に向けて前記外キャップ体内に遊嵌自在に収納され、前記有底円筒の開口部側に前記外キャップ体の環状段部と当接する環状端部を有する内キャップ体と、前記外キャップ体の有底部側内周面と前記内キャップ体の有底部側外周面との間に配設され、前記内キャップ体を前記外キャップ体の開口部側に付勢し前記外キャップ体の環状段部と前記内キャップ体の環状端部を当接させる弾性体と、を備え、前記内キャップ体の開口部側内周面には、前記鉛筆型物品を挿入したときに前記円筒軸の先端部と係合する係合部と前記円筒軸の外周面に密着する密着部とを有し、前記内キャップ体の有底部には、この有底部を貫通する通気孔を有することを特徴とする。
【０００９】
本発明によれば、鉛筆型物品にキャップを装着するときに弾性体が変形し、内キャップ体が先端部方向に移動することで、内キャップ体内部の空気が通気孔を抜け、内キャップ体の移動により発生した環状端部と環状段部との隙間を通って外部に排出することができる。従って、従来のように内キャップ体内部の圧力が上がることはなく、気密キャップ特有のポンプ現象によりキャップが浮き上がるのを防止できる。また、キャップ装着時は空気が逃げるために低い力で装着できる。
【００１０】
また、本発明によれば、キャップの装着が完了すると、弾性体の付勢力により内キャップ体が開口部側に押し戻され、内キャップ体の環状端部と外キャップ体の環状段部が当接し、キャップ内の空気は密封される。従って、キャップ装着後内部の空気は外部の空気と遮断されるので、揮発性内容物の揮散や乾燥固化が防止できる。
【００１１】
更に、本発明によれば、キャップを離脱させる時、気密状態にある内キャップ体内部を減圧しながら鉛筆型物品を引き抜くことになる。従って、キャップの離脱時は、装着時に比べ、減圧分余分に引き抜く力を必要とし、従来のように簡単にキャップが外れてしまうことはない。
【００１２】
なお、本発明の弾性体はラバー製またはエラストマー製の弾性ゴムや、スプリングのばねが例示できる。また、弾性体が弾性ゴムの場合、形状は球体が好ましい。また、本発明は揮発性内容物としてスティック状の口紅、アイシャドー、頬紅、眉墨などの化粧料を充填した鉛筆型化粧品、あるいは顔料を円筒軸内に充填した画材や筆記用具等に用いる気密キャップとして好適である。
【００１３】
【発明の実施の形態】
以下、本発明の一実施の形態に係る鉛筆型物品用気密キャップを図１から図５に基づいて詳細に説明する。なお、この実施の形態では揮発性内容物として化粧料を用いた鉛筆型化粧品用の気密キャップとして説明する。
［鉛筆型化粧品用気密キャップの構造］
この実施の形態の鉛筆型化粧品用気密キャップ（以下、キャップという）１は、図１に示すように、鉛筆型化粧品２の先細り先端部を覆うように装着するものである。また、キャップ１は外キャップ体３と、この外キャップ体３内に収納される内キャップ体４との二重構造であり、外キャップ体３内の先端側３ａには内キャップ体４を外キャップ体３開口側３ｂに付勢する弾性体５を設けている。
【００１４】
［外キャップ体３］
外キャップ体３は有底円筒形状をなす。そして、外キャップ体３の開口部３ｂ側は、周方向に沿って内側に突出する環状段部３３を有している。この環状段部３３の内径Ｄ1 は外キャップ体３の筒内径Ｄ2 より小さい（Ｄ1＜Ｄ2）が鉛筆型化粧品２の外周径Ｄ0 よりやや大きい（Ｄ1＞Ｄ0）。そして、この環状段部３３には小径円筒部３２が連続している。この小径円筒部３２は開口側の端部に鉛筆型化粧品２の挿入を容易とする面取り３２ａを有している。このように、外キャップ体３の開口部３ｂ側は大径円筒部３１と小径円筒部３２とからなる段付円筒形状をなす。
また、外キャップ体３内の先端部３ａ側は底部に向けて内径が小さくなる傾斜面を有している。
【００１５】
［内キャップ体４］
内キャップ体４は、図２に示すように、小径部４１と大径部４２と底部４３を有する有底の段付円筒形状をなす。なお、小径部４１の小径穴４ａと大径部４２の大径穴４ｂとの境となる段部は、鉛筆型化粧品２の先端部の傾斜面に倣って傾斜面４ｄ（図１参照）が形成されている。また大径部４２の外周径Ｄ3 は外キャップ体３の筒内径Ｄ2 より小さく（Ｄ3＜Ｄ2）形成され、内キャップ体４は外キャップ体３の環状段部３３より内側に遊嵌自在に収納されている。
【００１６】
そして、底部４３には、底部４３を貫通する通気孔４５が穿設されている。また、底部４３の先端側には、当接リブ４７がキャップ１の先端に向けて立設している。この当接リブ４７は４枚のリブを十字状に組み合わせた形状をなし、その先端中央には、球状の窪みをなす当接曲面４８が形成されている。
【００１７】
そして、大径部４２の内径は鉛筆型化粧品２の外周径Ｄ0 とほぼ同じである。内キャップ体４の大径穴４ｂは周方向に沿って環状突部４９を有している。この環状突部４９の内径Ｄ4 は鉛筆型化粧品２の外周径Ｄ0 よりやや小さく（Ｄ4 ＜Ｄ0 ）、内キャップ体４内に鉛筆型化粧品２を挿入したとき環状突部４９が鉛筆型化粧品２の外周面に密着する。
また、小径部４１の外周面には、軸方向に沿って６枚の補強リブ４６が立設している（図２参照）。
【００１８】
［弾性体５］
弾性体５は、図１に示すようにラバー製の弾性ゴムであり、球形状をなす。弾性体５は外キャップ体３内の先端部３ａ側（筒内有底側）に配設されている。すなわち、弾性体５は外キャップ体３内の傾斜面と内キャップ体４先端の当接曲面４８との間に狭設されている。この実施の形態では、弾性ゴムはＮＢＲ５５°、径５．２ｍｍの球体を用いる。
【００１９】
［鉛筆型化粧品用気密キャップの作用］
次に鉛筆型化粧品用気密キャップの作用を図１に基づき説明する。なお、鉛筆型化粧品２が挿入されていないキャップ１は、内キャップ体４が弾性体５により開口側へ付勢され、内キャップ体４の環状端部４ｃと外キャップ体３の環状段部３３とが当接した状態にある。
【００２０】
かかる状態において、キャップ１に鉛筆型化粧品２の先細り先端部を挿入すると、外キャップ体３の小径円筒部３２を通過した鉛筆型化粧品２の先端部が内キャップ体４の大径部４２内に挿入され、傾斜面４ｄに当接する。このとき、環状突部４９が鉛筆型化粧品２の外周面に密着するので、鉛筆型化粧品２の先端部の体積に相当する内キャップ体４内の空気は、通気孔４５より外キャップ体３の内壁と内キャップ体４の外壁との隙間に押し出される。
【００２１】
そして、更にキャップ１に鉛筆型化粧品２の先端部を挿入すると、鉛筆型化粧品２の先端部が傾斜面４ｄを押圧し、弾性体５の付勢力に抗して内キャップ体４が外キャップ体３内を前進し、内キャップ体４の環状端部４ｃと外キャップ体３の環状段部３３とが離間状態となる。そこで、内キャップ体４より押出された空気は、環状端部４ｃと環状段部３３との隙間及び環状段部３３と鉛筆型化粧品２の外周面との隙間を経由してキャップ１外部へ排出される。
【００２２】
このように、鉛筆型化粧品２にキャップ１を装着するときに弾性体５が変形し、内キャップ体４が先端方向に移動することで、内キャップ体４内部の空気が通気孔４５を抜ける。そして、内キャップ体４の移動により発生した環状端部４ｃと環状段部３３との隙間を通って外部に逃げることにより、従来のように内キャップ体４内部の圧力が上がることはない。よって、気密キャップ特有のポンプ現象によりキャップ１が浮き上がるのを防止できる。また、キャップ装着時は空気が逃げるために低い力で装着できる。
【００２３】
次に、キャップ１の装着が完了し、鉛筆型化粧品２の挿入をやめると、弾性体５の付勢力により内キャップ体４が開口側３ｂに押し戻され、内キャップ体４が装着前の位置に復帰し、内キャップ体４の環状端部４ｃと外キャップ体３の環状段部３３が当接し、キャップ１内の空気は密封される。従って、キャップ１装着後内部の空気は外部の空気と遮断されているので、化粧料Ｍの揮散や乾燥固化が防止できる。
【００２４】
更に、キャップ１の離脱時は、気密状態にある内キャップ体４内部を減圧しながら鉛筆型化粧品２を引き抜くことになる。従って、キャップ１の離脱時は、装着時に比べ、減圧分余分に引き抜く力を必要とし、従来のように簡単にキャップ１が外れてしまうことはない。
【００２５】
［揮発性内容物の減量比較試験］
本発明者は、キャップを装着した状態における揮発性内容物（この実施の形態では化粧料）の揮散（減量）状態を本発明の場合と従来の場合とで比較する比較試験を行った。この比較試験には、上述の実施の形態のキャップ１を鉛筆型化粧品２に装着した試験例（以下、検体Ａという）と、上述の実施の形態の弾性体をＮＢＲ７０°、径５．０ｍｍの球体を用いたキャップを鉛筆型化粧品２に装着した試験例（以下、検体Ｂという）と、従来の技術にて説明したボールなしのキャップ体を鉛筆型化粧品２に装着した試験例（以下、検体Ｃという）と、を用いた。そして、この比較試験は、検体Ａ，Ｂ，Ｃを同一条件で６０日間放置し、７日程度毎に検体Ａ，Ｂ，Ｃの減量率（％）を測定した。
【００２６】
図４は検体Ａ，Ｂ，Ｃの減量率（％）を測定日毎に表であらわしたものであり、図５はそれをグラフにあらわしたものである。
表およびグラフに示すように、この比較試験の結果、検体Ｃ（従来のもの）が６０日間で１．３％程度減量するのに対し、検体Ａ（上述の実施の形態のもの）はほとんど減量しない、ことが判った。
【００２７】
なお、上述の実施の形態では、弾性体としてラバー製の球体を用いたが、本発明の弾性体はラバー製の球体に限定されるものではなく、弾性ゴムがエストラマー製であっても、球体以外の形状であってもよい。
【００２８】
また、本発明の弾性体は外キャップ体３内の傾斜面と内キャップ体４先端の当接曲面４８との間に狭設され、内キャップ体４を開口側に付勢するものであればよいのであって、例えば、別の実施の形態として、図６に示すように、弾性体としてコイルばね６を用いてもよい。この場合、コイルばね６は一端側が外キャップ体３内の傾斜面に係合し、他端側が内キャップ体４の当接リブ４７先端に係合する。なお、上述の実施の形態と別の実施の形態との違いは、弾性体が異なるだけであり、他の構成部は同一なのでその説明は省略する。
【００２９】
更に、上記実施の形態では、円筒軸に化粧料を充填した鉛筆型化粧品用の気密キャップとして説明したが、本発明は鉛筆型化粧品用気密キャップに限定されるものではなく、円筒軸内に顔料を充填した画材や筆記用具用の気密キャップをも含む。
【００３０】
【発明の効果】
本発明によれば、鉛筆型物品にキャップを装着するときに弾性体が変形し、内キャップ体が先端方向に移動することで、内キャップ体内部の空気が通気孔を抜け、内キャップ体の移動により発生した環状端部と環状段部との隙間を通って外部に排出することができる。従って、従来のように内キャップ体内部の圧力が上がることはなく、気密キャップ特有のポンプ現象によりキャップが浮き上がるのを防止できる。また、キャップ装着時は空気が逃げるために低い力で装着できる。
【００３１】
また、本発明によれば、キャップの装着が完了すると、弾性体の付勢力により内キャップ体が開口側に押し戻され、内キャップ体の環状端部と外キャップ体の環状段部が当接し、キャップ内の空気は密封される。従って、キャップ装着後内部の空気は外部の空気と遮断されているので、化粧料の揮散や乾燥固化が防止できる。
【００３２】
更に、本発明によれば、キャップを離脱させる時、気密状態にある内キャップ体内部を減圧しながら鉛筆型物品を引き抜くことになる。従って、キャップの離脱時は、装着時に比べ、減圧分余分に引き抜く力を必要とし、従来のように簡単にキャップが外れてしまうことはない。
【図面の簡単な説明】
【図１】本発明の実施の形態にかかる鉛筆型物品用気密キャップの縦断面図である。
【図２】内キャップの外形斜視図である。
【図３】内キャップの内部構造の説明図である。
【図４】本発明の鉛筆型物品用気密キャップの場合の減量率と従来の場合とを比較した表である。
【図５】本発明の鉛筆型物品用気密キャップの場合の減量率と従来の場合とを比較したグラフである。
【図６】本発明の別の実施の形態にかかる鉛筆型物品用気密キャップの縦断面図である。
【符号の説明】
１…キャップ
２…鉛筆型化粧品（鉛筆型物品）
３…外キャップ体
３ａ…先端部
３ｂ…開口部
４…内キャップ体
４ａ…小径穴
４ｂ…大径穴
４ｃ…環状端部
４ｄ…傾斜面（係合部）
５…弾性体（ボール）
６…弾性体（スプリング）
３１…大径円筒部
３２…小径円筒部
３３…環状段部
４１…小径部
４２…大径部
４３…底部
４５…通気孔
４６…補強用リブ
４７…当接リブ
４８…当接曲面
４９…環状突部
Ｍ…化粧料
【図１】
0003765960.tif 000002
【図２】
0003765960.tif 000003
【図３】
0003765960.tif 000004
【図４】
0003765960.tif 000005
【図５】
0003765960.tif 000006
【図６】
0003765960.tif 000007